(57)【特許請求の範囲】
【請求項１】
作業者が乗って作業するための作業布板を含んで構築される仮設足場に、前記作業布板に沿って配設される幅木を取り付けるための取付具であって、
前記作業布板により形成される作業者歩行通路の曲がり箇所のコーナー部に配設されていて前記仮設足場を構成している支柱に不動状態で配置される取付具本体と、この取付具本体に左右２個取り付けられている保持部材とを有し、これらの保持部材に２個の前記幅木の長さ方向の端部が保持され、
前記左右２個の保持部材は、前記取付具本体に対して水平方向に回動可能となっており、これらの保持部材がなす水平面内の角度が変更可能となっており、
前記左右２個の保持部材は、前記取付具本体に対して水平方向へ移動可能となっており、この移動可能方向は、前記支柱側への接近、離間方向であり、
前記左右２個の保持部材は、軸方向が鉛直方向となっている軸部材を中心に水平方向へ回動自在となっており、前記軸部材が前記移動可能方向に移動可能となっていることにより、前記左右２個の保持部材が、前記支柱側への接近、離間方向である水平方向へ移動可能となっていることを特徴とする仮設足場用幅木の取付具。
【請求項２】
請求項１に記載の仮設足場用幅木の取付具において、前記軸部材は、前記保持部材のそれぞれごとに設けられていることを特徴とする仮設足場用幅木の取付具。
【請求項３】
請求項１又は２に記載の仮設足場用幅木の取付具において、前記取付具本体には、前記軸部材が挿入された長孔が形成され、この長孔により前記軸部材が前記移動可能方向に移動可能となっていることを特徴とする仮設足場用幅木の取付具。
【請求項４】
作業者が乗って作業するための作業布板を含んで構築される仮設足場に、前記作業布板に沿って配設される幅木を取り付けるための取付具であって、
前記作業布板により形成される作業者歩行通路の曲がり箇所のコーナー部に配設されていて前記仮設足場を構成している支柱に不動状態で配置される取付具本体と、この取付具本体に左右２個取り付けられている保持部材とを有し、これらの保持部材に２個の前記幅木の長さ方向の端部が保持され、
前記取付具本体は、前記支柱に結合される結合具の係止部材が係止可能となった被係止部材を含んで構成され、この被係止部材に前記係止部材が係止することにより、前記支柱に前記取付具本体が不動状態で配置され、
前記被係止部材は２個あり、これらの被係止部材は、上下が逆となって前記左右２個の保持部材の上下に配置された上側部材と下側部材になっていることを特徴とする仮設足場用幅木の取付具。
【請求項５】
請求項１〜４のいずれかに記載の仮設足場用幅木の取付具において、前記保持部材は、平面視でＵ字形状となっている保持部を有し、この保持部の溝部に前記幅木の長さ方向の端部が挿入されることにより、この端部が前記保持部材に保持されることを特徴とする仮設足場用幅木の取付具。
【発明の詳細な説明】
【技術分野】
【０００１】
本発明は、建築や土木等の作業現場で作業布板が用いられて構築される仮設足場に、作業布板に沿って配置される幅木を取り付けるための取付具に係り、支柱が用いられて構築される仮設足場に利用できるものである。
【背景技術】
【０００２】
下記の特許文献１には、作業者が乗って作業するための作業布板を含んで構築される仮設足場において、作業布板に沿って配設される幅木を仮設足場に取り付けるための技術が示されている。この技術では、幅木にスライドロック金具を上下方向にスライド可能に設け、このスライドロック金具の下端のロック片を作業布板の下面に係止することにより、幅木が作業布板に取り付けられるようになっている。
【先行技術文献】
【特許文献】
【０００３】
【特許文献１】特開２００２−２２７４０２号公報
【発明の概要】
【発明が解決しようとする課題】
【０００４】
以上のように、幅木に上下方向にスライド可能に設けられたスライドロック金具の下端のロック片を作業布板の下面に係止することにより、幅木を仮設足場に取り付ける構造では、作業布板により形成される作業者歩行通路の曲がり箇所のコーナー部に仮設足場を構成する支柱が配置されている場合には、このコーナー部において、２個の幅木の長さ方向の端部同士を接続させてこのコーナー部を隙間のない箇所とすることが難しく、このコーナー部が、塞がれていない隙間部となるおそれがある。
【０００５】
本発明の目的は、作業布板により形成される作業者歩行通路の曲がり箇所のコーナー部に仮設足場を構成する支柱が配置されていても、このコーナー部が、塞がれていない隙間部とならない仮設足場用幅木の取付具を提供するところにある。
【課題を解決するための手段】
【０００６】
本発明に係る仮設足場用幅木の取付具は、作業者が乗って作業するための作業布板を含んで構築される仮設足場に、前記作業布板に沿って配設される幅木を取り付けるための取付具であって、前記作業布板により形成される作業者歩行通路の曲がり箇所のコーナー部に配設されていて前記仮設足場を構成している支柱に不動状態で配置される取付具本体と、この取付具本体に左右２個取り付けられている保持部材とを有し、これらの保持部材に２個の前記幅木の長さ方向の端部が保持されることを特徴するものである。
【０００７】
このように本発明に係る取付具は、作業布板により形成される作業者歩行通路の曲がり箇所のコーナー部に配設されていて仮設足場を構成している支柱に不動状態で配置される取付具本体と、この取付具本体に左右２個取り付けられている保持部材とを有するものとなっており、これらの保持部材に２個の幅木の長さ方向の端部が保持されるため、前記コーナー部に支柱が配置されていても、このコーナー部を、取付具本体と左右２個の保持部材とにより塞ぐことができ、このため、このコーナー部が、塞がれていない隙間部とならない。
【０００８】
以上の本発明において、左右２個の保持部材を、これらの保持部材がなす水平面内の角度を９０度に固定することにより、取付具本体に対して水平方向に回動不能し、これにより、作業者歩行通路の９０度の曲がり箇所に対応できるようにしてもよいが、左右２個の保持部材を、取付具本体に対して水平方向に回動可能とし、これらの保持部材がなす水平面内の角度を変更可能とすることが好ましい。
【０００９】
これによると、作業者歩行通路の曲がり箇所の内コーナー部と外コーナー部との両方に対応できるようになり、また、左右２個の保持部材がなす水平面内の角度を１８０度に、すなわち、左右２個の保持部材が左右に平坦となって並ぶ形状に取付具全体をすることにより、複数の取付具を上下に重ねてコンパクト化した状態でこれらの取付具を仮設足場の構築現場に搬入したり、搬出したりすることができ、また、小さいスペースに保管することもでき、このため、取付具の取り扱いを容易に行えるようになる。
【００１０】
また、本発明に係る取付具を配置すべき前記支柱が、作業者歩行通路の曲がり箇所の内コーナー部と外コーナー部のうち、どちらに設けられているかにより、この取付具と支柱との間の距離が異なるため、左右２個の保持部材を、取付具本体に対して水平方向へ移動可能とし、この移動可能方向を、前述の支柱側への接近、離間方向とすることが好ましい。
【００１１】
これによると、上述の距離の違いに対処できて、本発明に係る取付具を配置すべき支柱が、作業者歩行通路の曲がり箇所の内コーナー部と外コーナー部のうち、どちらに設けられていても有効に対処できるようになり、また、両方のコーナー部に有効に対処できるようになる。
【００１２】
さらに、このように左右２個の保持部材を、取付具本体に対して水平方向へ移動可能とし、この移動可能方向を、支柱側への接近、離間方向とする場合には、一例として、左右２個の保持部材を、軸方向が鉛直方向となっている軸部材を中心に水平方向へ回動自在とし、この軸部材を前記移動可能方向に移動可能とすることにより、左右２個の保持部材を、支柱側への接近、離間方向である水平方向へ移動可能としてもよい。
【００１３】
また、左右２個の保持部材を、取付具本体に対して水平方向へ移動可能とし、この移動可能方向を、支柱側への接近、離間方向とするためには、左右２個の保持部材を、軸方向が鉛直方向となっている軸部材を中心に水平方向へ回動自在とし、この軸部材に対して左右２個の保持部材を、支柱側への接近、離間方向である水平方向へ移動可能としてもよい。
【００１４】
これらのいずれの場合においても、上記軸部材の本数は、左右２個の保持部材について共通となった１本でもよく、左右２個の保持部材ごとに設けられた２本でもよい。
【００１５】
また、上記軸部材は、ボルトの軸部でもよく、ピンでもよい。
【００１６】
本発明において、前述のように取付具本体を支柱に不動状態で配置するためには、例えば、取付具本体を、支柱に結合される結合具の係止部材が係止可能となった被係止部材を含んで構成されたものとし、この被係止部材に結合具の係止部材を係止させることにより、支柱に取付具本体が不動状態で配置されるようにしてもよい。
【００１７】
また、このようにする場合には、被係止部材の個数を２個とし、これらの被係止部材を、上下が逆となって左右２個の保持部材の上下に配置された上側部材と下側部材としてもよい。
【００１８】
これによると、本発明に係る取付具を上下逆にしても、上述の結合部材の係止部材を被係止部材に係止することができて、この取付具を結合具により支柱に不動状態で配置できるため、本発明に係る取付具は上下の区別がないものとなり、このため、この取付具を結合具で支柱に不動状態で配置するときの作業を容易に行えるようになる。
【００１９】
また、前述のように取付具本体を支柱に不動状態で配置するためには、この支柱に取付具本体をボルト等の止着具に止着してもよく、あるいは、上述の被係止部材が設けられていなくて支柱に結合される結合具により取付具本体を取り付けてもよい。
【００２０】
また、本発明において、左右２個の保持部材に２個の幅木の長さ方向の端部を保持させることは、各種の態様により実施することができ、その一例は、保持部材を、平面視でＵ字形状となっている保持部を有するものとし、この保持部の内部の溝部に幅木の長さ方向の端部を挿入することにより、この端部が保持部材に保持されるようにすることである。
【００２１】
また、ほかの例は、それぞれの保持部材に幅木の長さ方向の端部をボルト等の止着具で止着することにより、幅木の長さ方向の端部を保持部材に保持させることである。
【００２２】
なお、上述のように保持部材を、平面視でＵ字形状となっている保持部を有するものとし、この保持部の内部の溝部に幅木の長さ方向の端部を挿入することにより、この端部を保持部材に保持させるようにする場合にも、保持部に幅木の長さ方向の端部をボルト等の止着具で止着してもよい。
【００２３】
以上説明した本発明に係る取付具は、作業者が乗って作業するための作業布板を含んで構築され、作業布板に沿って幅木が配設される仮設足場であれば、任意の作業現場で構築される仮設足場に適用することができ、この作業現場は、例えば、建築の作業現場でもよく、土木の作業現場でもよく、解体の作業現場でもよく、塗装の作業現場でもよい。
【発明の効果】
【００２４】
本発明によると、作業布板により形成される作業者歩行通路の曲がり箇所のコーナー部に仮設足場を構成する支柱が配置されていても、このコーナー部が、塞がれていない隙間部にならないという効果を得られる。
【図面の簡単な説明】
【００２５】
【図１】図１は、本発明の一実施形態に係る取付具が適用されている仮設足場の一部を示す斜視図である。
【図２】図２は、図１の一部の拡大図であって、作業布板により形成される作業者歩行通路の曲がり箇所の内コーナー部に設けられていて、取付具が配置されている支柱の箇所を示す斜視図である。
【図３】図３は、取付具の全体を示す斜視図である。
【図４】図４は、取付具の正面図である。
【図５】図５は、取付具の背面図である。
【図６】図６は、取付具の平面図である。
【図７】図７は、取付具の底面図である。
【図８】図８は、取付具の側面図である。
【図９】図９は、図４のＳ９−Ｓ９線断面図である。
【図１０】図１０は、図４のＳ１０−Ｓ１０線断面図である。
【図１１】図１１は、図４のＳ１１−Ｓ１１線断面図である。
【図１２】図１２は、図４のＳ１２−Ｓ１２線断面図である。
【図１３】図１３は、取付具の取付具本体を支柱に不動状態で配置するために支柱に結合されている結合具を示す側面図である。
【図１４】図１４は、作業布板により形成される作業者歩行通路の曲がり箇所の外コーナー部に設けられていて、取付具が配置されている支柱の箇所を示す斜視図である。
【図１５】図１５は、作業布板により形成される作業者歩行通路の曲がり箇所の内コーナー部に設けられた支柱に取付具を配置した場合に、これらの支柱と取付具との間の寸法を示す模式的平面図である。
【図１６】図１６は、作業布板により形成される作業者歩行通路の曲がり箇所の外コーナー部に設けられた支柱に取付具を配置した場合に、これらの支柱と取付具との間の寸法を示す模式的平面図である。
【図１７】図１７は、図２及び図１４で示されている結合具が、取付具が配置されていない支柱に幅木を保持させるためにも用いられていることを示す側面図である。
【発明を実施するための形態】
【００２６】
以下に本発明を実施するための形態を図面に基づいて説明する。図１には、建築等の作業現場で構築されている仮設足場の一部が示されており、作業対象物の外周に構築されたこの仮設足場は、複数本の支柱１と、これらの支柱１ごとに支柱１の下端に配置され、それぞれの支柱１の高さを調整するためのジャッキベース２と、作業者が乗って作業するための作業布板３とを含んでいる。それぞれ支柱１の外周面には、継手部材となっている複数個のフランジ４が上下方向に等間隔で結合されており、また、それぞれの支柱１の上端には、図示しない継ぎ足し用支柱の下端が図示しない連結パイプを介して連結され、これらの継ぎ足し用支柱により仮設足場の大きな高さ寸法が確保される。
【００２７】
作業布板３は、複数個の作業布板３が長さ方向や幅方向に並設されることにより作業者歩行通路５を形成するものであり、図１で示されている作業者歩行通路５は、平面視で直角に屈曲した曲がり箇所５Ａを有するものになっており、前述の複数本の支柱１のうちには、曲がり箇所５Ａの内コーナー部に立設された支柱１Ａと、曲がり箇所５Ａの外コーナー部に立設された支柱１Ｂとがある。
【００２８】
図１に示されている作業布板３には、幅寸法が大きい作業布板３Ａと、幅寸法が小さい作業布板３Ｂとがあり、これらの作業布板３Ａ，３Ｂの長さ方向の両端部には、作業布板３Ａ，３Ｂごとに２個のフック部材６が設けられている。これらのフック部材６は、複数本の支柱１のうち、作業布板３Ａ，３Ｂの幅方向両側に立設されている２本の支柱１のフランジ４に架け渡されている横架材７に係止され、これにより、それぞれの作業布板３Ａ，３Ｂは、仮設足場に水平に配置されている。
【００２９】
図２は、図１で示されている作業者歩行通路５の曲がり箇所５Ａの内コーナー部に立設された支柱１Ａの箇所を拡大して示している。この図２から分かるように、それぞれの横架材７の端部には、支柱１の外周面に結合されているフランジ４を挿入することができる水平の溝部７Ａが形成されているとともに、この溝部７Ａの上下には、支柱１と対面する対面部７Ｂ，７Ｃが設けられている。また、それぞれ横架材７の端部には、支柱１と横架材７とを連結するための連結部材となっているクサビ部材８を上下に挿通させるための孔部７Ｄが溝部７Ａに跨って形成されており、横架材７の端部を上下に貫通しているこの孔部７Ｄの支柱１側の端部は、対面部７Ｂ，７Ｃにより閉塞された閉塞部となっている。
【００３０】
横架材７の両端部に設けられている溝部７Ａにフランジ４を挿入した後に、孔部７Ｄと、フランジ４に円周方向に４個形成されている凹部４Ａのうち、１個の凹部４Ａとにクサビ部材８を上から挿入し、このクサビ部材８を上から打圧することにより、クサビ部材８における支柱１側の前面が、孔部７Ｄの支柱１側の上記閉塞部に当接するとともに、クサビ部材８における支柱１側とは反対側の後面が、凹部４Ａにおける支柱１側とは反対側の閉塞端部に当接することにより、横架材７の両端部は、クサビ部材８のクサビ作用によりフランジ４を介して２本の支柱１に結合されるようになっている。
【００３１】
このようにして２本の支柱１の間に架け渡された横架材７にフック部材６が係止されることにより、作業者が乗って作業を行うためのそれぞれの作業布板３Ａ，３Ｂが仮設足場に水平に配置され、これらの作業布板３Ａ，３Ｂにより上述の作業者歩行通路５が形成される。
【００３２】
このような作業者歩行通路５が設けられる仮設足場には、作業布板３Ａ，３Ｂよりも上側において、作業布板３Ａ，３Ｂに沿って幅木１０が配設され、作業布板３Ａ，３Ｂの幅方向の端部や作業布板３Ａ，３Ｂの長さ方向の端部、言い換えると、作業者歩行通路５の幅方向の端部に配設される幅木１０により、作業者歩行通路５の上に落ちた工具等が、作業者歩行通路５から落下することが幅木１０によって防止されるようになっている。
【００３３】
図２には、作業者歩行通路５の曲がり箇所５Ａの内コーナー部に立設された支柱１Ａに本実施形態に係る取付具２０を配置し、この取付具２０により、支柱１Ａの両側に平面視で直角をなして配置された２個の幅木１０の長さ方向の端部を保持している状態が示されている。図３は、この取付具２０の全体の斜視図であり、図４は、取付具２０の正面図、図５は、取付具２０の背面図、図６は、取付具２０の平面図、図７は、取付具２０の底面図、図８は、取付具２０の側面図である。また、図９は、図４のＳ９−Ｓ９線断面図であり、図１０は、図４のＳ１０−Ｓ１０線断面図、図１１は、図４のＳ１１−Ｓ１１線断面図、図１２は、図４のＳ１２−Ｓ１２線断面図である。
【００３４】
これらの図３〜図１２から分かるように、取付具２０は、取付具本体２１と左右２個の保持部材２２とを含むものになっている。取付具本体２１は、左右２個の保持部材２２の上下に配置された上側部材２３と下側部材２４を有し、これらの上側部材２３と下側部材２４は、上下が逆でかつ前後も逆となっているものであり、このため、これらの上側部材２３と下側部材２４は、板材の折り曲げで形成された同じ部品を、上下を逆としかつ前後も逆にして用いたものになっている。具体的に説明すると、上側部材２３と下側部材２４は、保持部材２２側のベース部２５と、このベース部２５の前後方向の一方の端部から、言い換えると、左右２個の保持部材２２の並設方向と直交する水平方向の一方の端部から保持部材２２側とは反対側へ屈曲している屈曲部２６と、この屈曲部２６の先端からベース部２５と平行にこのベース部２５側へ延出している延出部２７とからなり、このため、上側部材２３と下側部材２４は、側面視でコ字形状となっている。
【００３５】
それぞれのベース部２５には、前後方向に長い長孔２８が形成され、この長孔２８は左右に２個設けられている。また、それぞれの延出部２７の先端部には、屈曲部２６側へ窪んだ係止凹部２９が形成されている。
【００３６】
左右２個の保持部材２２は、左右対称形状のものとなっており、このため、これらの保持部材２２は、同じ部品を左右を逆にして用いたものとなっている。それぞれの保持部材２２は、取付具本体２１を構成している上側部材２３と下側部材２４の間に配置されたベース部３０と、このベース部３０から上側部材２３及び下側部材２４を越えて左右の水平方向へ突出している保持部３１とからなる。また、図４、図５、図１０及び図１２に示されているように、ベース部３０は、上下に分割された分割部３０Ａ，３０Ｂからなり、これらの分割部３０Ａ，３０Ｂの間には、図１１に示されている中間部材３２が配置されている。図１０及び図１２に示されているように、それぞれの分割部３０Ａ，３０Ｂには、上下に貫通した孔３３が形成されているとともに、図１１に示されているように、中間部材３２には、上下に貫通した孔３４が左右２個形成されている。
【００３７】
図９に示されているように、これらの孔３３，３４には、上側部材２３の長孔２８から挿入されたボルト３５の軸部３５Ａが挿通され、下側部材２４の長孔２８から突出した軸部３５Ａの先端部にナット３６が螺合され、これにより、左右２個の保持部材２２は、取付具本体２１の構成部材となっている上側部材２３と下側部材２４とにボルト３５及びナット３６により取り付けられている。
【００３８】
それぞれの保持部材２２の上記保持部３１は、図３、図６、図７及び図１０〜図１２に示されているように、内部に溝部３７が設けられた平面視でＵ字形状となっており、左右方向の外側に向かって開口しているこの溝部３７に、図１及び図２で示されている幅木１０の長さ方向の端部を挿入することにより、この端部を保持部３１で保持できるようになっている。また、それぞれ保持部３１には前後方向に貫通した孔３８が設けられており、図２に示されているように、これらの孔３８に挿通されたボルト３９の軸部を、幅木１０の長さ方向の端部に形成されている孔にも挿通し、保持部３１から突出したボルト３９の軸部の先端部にナット４０（図１４を参照）を螺合することにより、保持部材２２の保持部３１で保持された幅木１０の長さ方向の端部を保持部３１に止着できるようになっている。
【００３９】
以上の説明で分かるように、左右２個の保持部材２２は、取付具本体２１を構成している上側部材２３及び下側部材２４に対してボルト３５の軸部３５Ａを中心に水平方向である左右方向に回動可能となっており、このため、ボルト３５の軸部３５Ａは、これらの保持部材２２を水平方向に回動可能とするために、軸方向が鉛直方向となっている軸部材になっており、この軸部材を中心に保持部材２２は水平方向へ回動可能である。
【００４０】
本実施形態に係る取付具２０の平面図を示している図６の二点鎖線は、左右２個の保持部材２２がボルト３５の軸部３５Ａを中心に水平方向へ回動したときを示している。図６の実線で示されているように、左右２個の保持部材２２がボルト３５の軸部３５Ａを中心に水平方向へ回動してないときには、これらの保持部材２２がなす水平面内の角度αは１８０度であり、左右２個の保持部材２２は、この角度αよりも大きい角度βと、角度αよりも小さい角度γまで回動可能であり、図６の角度βは２７０度となっており、角度γは９０度となっている。
【００４１】
そして、左右２個の保持部材２２がなす水平面内の角度を１８０度としたときには、これらの保持部材２２は左右に平坦となって並ぶため、本実施形態に係る取付具２０の複数個を上下に重ねてコンパクト化した状態にできることになり、このため、これらの取付具２０を仮設足場の構築作業現場に搬入したり、搬出したりする作業を容易に行うことができ、また、保管するためのスペースも小さくすることができ、このため、取付具２０の取り扱いを容易に行えるようになる。
【００４２】
また、それぞれのボルト３５の軸部３５Ａは、取付具本体２１の構成要素である上側部材２３及び下側部材２４に前後方向に長く形成されている長孔２８に挿入されているため、それぞれの保持部材２２は、取付具本体２１に対して水平方向である前後方向に移動可能となっている。この水平方向である前後方向とは、本実施形態に係る取付具２０が、図１で示されている作業者歩行通路５の曲がり箇所５Ａの内コーナー部に立設されている支柱１Ａと、外コーナー部に立設されている支柱１Ｂに配置されたとき（図１４を参照）に、これらの支柱１Ａ，１Ｂ側への接近、離間方向である。
【００４３】
図２には、作業者歩行通路５の曲がり箇所５Ａの内コーナー部に立設されている支柱１Ａに取付具２０を不動状態で配置するために、この支柱１Ａに結合されている結合具１１が示されている。この結合具１１は、仮設足場等の仮設構造物に用いられるクランプである。このため、結合具１１は、一端同士が互いにピン１２で回動自在に連結された一対の挟着部材１３，１４と、これらの挟着部材１３，１４のうち、一方の挟着部材１３の他端に端部が回動自在に連結された雄ねじ部材１５と、他方の挟着部材１４に形成された凹溝１４Ａに挿入されるこの雄ねじ部材１５に螺合されているナット１６とを有する。このナット１６を締め付けることにより、一対の挟着部材１３，１４は支柱１Ａの外周面を挟着し、これにより、結合具１１は、支柱１Ａに結合される。
【００４４】
本実施形態では、この結合具１１の挟着部材１４には、下方へ延びる長さを有している板状の係止部材１７の上端が溶接で結合されており、エンボス加工による補強部１７Ｂが形成されているこの係止部材１７の下端の係止部１７Ａが、取付具２０の取付具本体２１の上側部材２３に形成されている図３の係止凹部２９に挿入係止されるようになっている。図１３は、このように係止部材１７の下端の係止部１７Ａが、取付具２０の取付具本体２１の二点鎖線で示されている上側部材２３の係止凹部２９に挿入係止されたときを示しており、このときには、取付具２０は、前述した図２のクサビ部材８の上に乗っているため、この取付具２０は、結合具１１の係止部材１７の係止部１７Ａが取付具本体２１の係止凹部２９に係止する係止作用により、支柱１Ａに不動状態で配置されることになる。
【００４５】
このため、取付具本体２１の係止凹部２９が形成されている上側部材２３は、結合具１１の係止部材１７の係止部１７Ａを係止させることができる被係止部材となっている。また、取付具本体２１の下側部材２４は、前述したように上側部材２３と上下が逆で前後も逆となっているものであるため、取付具２０を上下及び前後を逆にして支柱１Ａに配置したときには、この下側部材２４が上側部材になって、結合具１１の係止部材１７の係止部１７Ａを取付具本体２１の係止凹部２９に係止することができる。このため、下側部材２４も、結合具１１の係止部材１７の係止部１７Ａを係止させることができる被係止部材となっている。
【００４６】
なお、結合具１１の係止部材１７の係止部１７Ａが取付具本体２１の係止凹部２９に係止する係止作用により、取付具２０を支柱１Ａに不動状態で配置するためには、取付具２０を、上述のようにクサビ部材８の上に乗せてもよいが、この取付具２０を作業布板３の上や前述のフック部材７の上、さらには、横架材７の上に乗せてもよい。
【００４７】
また、本実施形態に係る係止部材１７の係止部１７Ａは、図１３に示されているように、下方へ延びるにしたがい支柱１Ａに近づく方向へ傾斜している傾斜部となっている。
【００４８】
前述したようにして取付具２０を、作業者歩行通路５の曲がり箇所５Ａの内コーナー部に立設されている支柱１Ａに、この支柱１Ａに結合された結合具１１の係止部材１７により不動状態で配置するときには、図２で示すように、この取付具２０の左右２個の保持部材２２が水平面内でなす角度を、曲がり箇所５Ａの内コーナー部と対応させて、図６の角度βである２７０度としておく。
【００４９】
また、図１４は、取付具２０を、作業者歩行通路５の曲がり箇所５Ａの外コーナー部に立設されている支柱１Ｂに、この支柱１Ｂに結合された結合具１１の係止部材１７により不動状態で配設したときを示しており、このときには、左右２個の保持部材２２が水平面内でなす角度を、曲がり箇所５Ａの外コーナー部と対応させて、図６の角度γである９０度としておく。
【００５０】
このようにしてそれぞれの支柱１Ａ，１Ｂに結合具１１の係止部材１７により不動状態で配置された取付具２０の左右２個の保持部材２２の保持部３１には、２個の幅木１０の長さ方向の端部が上から挿入されることにより、これらの端部は保持部材２２により保持される。また、保持部３１に形成されている前述の孔３８と、この孔３８に対応して幅木１０の長さ方向の端部に形成されている孔とに図２及び図１４で示されているボルト３９の軸部を挿入し、保持部３１から突出したボルト３９の軸部の先端部にナット４０を螺合することにより、幅木１０の長さ方向の端部を保持部３１に止着する。
【００５１】
このため、本実施形態によると、作業布板３により形成される作業者歩行通路５の曲がり箇所５Ａの内コーナー部及び外コーナー部に支柱１Ａ，１Ｂが立設されていても、これらの支柱１Ａ，１Ｂに本実施形態に係る取付具２０を配置することができ、この取付具２０は、支柱１Ａ，１Ｂに結合された結合具１１の係止部材１７で不動状態に係止される取付具本体２１と、この取付具本体２１に左右２個取り付けられている保持部材２２とを有するものとなっているため、作業者歩行通路５の曲がり箇所５Ａの内コーナー部及び外コーナー部を取付具本体２１と左右２個の保持部材２２とにより塞ぐことができ、このため、内コーナー部及び外コーナー部が、塞がれていない隙間部となることを防止することができる。
【００５２】
また、それぞれの保持部材２２の保持部３１は、前述したように平面視でＵ字形状となっていて、その内部が幅木１０の長さ方向の端部を上から挿入できる溝部３７となっているものであるため、保持部材２２に幅木１０の長さ方向の端部を保持させる作業を、保持部３１の溝部３７に幅木１０の長さ方向の端部を上から挿入するという簡単な作業により行える。
【００５３】
なお、２個の幅木１０の長さ方向の端部を左右２個の保持部材２２の保持部３１に上から挿入することにより、これらの幅木１０の下端を、作業者歩行通路５を形成している作業布板３の端部の上面に当接させ、この状態でそれぞれの幅木１０の長さ方向の端部を保持部材２２の保持部３１にボルト３９及びナット４０で止着するようにしてもよい。
【００５４】
また、前述の説明から分かるように、本実施形態に係る取付具２０では、取付具本体２１に対して左右２個の保持部材２２が、軸方向が鉛直方向となっているボルト３５の軸部３５Ａによる軸部材を中心に水平方向に回動可能となっていて、これらの保持部材２２が水平面内でなす角度が変更可能となっているため、この取付具２０が結合具１１の係止部材１７により不動状態で配置される支柱１が、作業布板３で形成される作業者歩行通路の曲がり箇所の内コーナー部に配置されている支柱１Ａであっても、外コーナー部に配置されている支柱１Ｂであっても、左右２個の保持部材２２が水平面内でなす角度を変更することにより、これらの支柱１Ａ，１Ｂのいずれにも対処することができる。
【００５５】
また、前述したように、取付具本体２１の構成要素として左右２個の保持部材２２の上下に配置されている上側部材２３と下側部材２４は、上下が逆で前後も逆の同じのものであり、そして、これらの上側部材２３と下側部材２４は、前述の被係止部材となって取付具本体２１を構成しているため、取付具２０をそれぞれの支柱１Ａ，１Ｂに結合具１１の係止部材１７により不動状態で配置する際に、この取付具２０の上下を逆とし、これにより前後が逆となっても、それぞれの支柱１Ａ，１Ｂに取付具２０を結合具１１の係止部材１７により不動状態で配置することができ、言い換えると、本実施形態に係る取付具２０は上下の区別がないものになっているため、この取付具２０を支柱１Ａ，１Ｂに配置する作業を容易に行える。
【００５６】
なお、本実施形態の取付具２０は、図４及び図５に示されているように、左右対称形状のものになっているため、上側部材２３と下側部材２４を、上下と前後のうち、少なくとも上下が逆となった部材として左右２個の保持部材２２の上下に配置してもよい。
【００５７】
図１５は、取付具２０が、作業布板３により形成される作業者歩行通路５の曲がり箇所５Ａの内コーナー部に立設された支柱１Ａに配置されているときを示す模式的平面図であり、図１６は、取付具２０が、作業者歩行通路５曲がり箇所５Ａの外コーナー部に立設された支柱１Ｂに配置されているときを示す模式的平面図である。これらの図には、取付具２０のうち、左右２個の保持部材２２と、これらの保持部材２２のうち、図１０及び図１２で示されているベース部３０と、これらのベース部３０に上下に挿通されているボルト３５の軸部３５Ａとが示されている。
【００５８】
取付具２０が、図１５のように作業者歩行通路５の曲がり箇所５Ａの内コーナー部に立設された支柱１Ａに配置されているときでも、また、図１６のように内コーナー部に立設された支柱１Ｂに配置されているときでも、保持部材２２の保持部３１で長さ方向の端部が保持された幅木１０の延長線（図１５及び図１６では、保持部３１の延長線が一点鎖線で示されている。）が、支柱１Ａ，１Ｂと、これらの支柱１Ａ，１Ｂと作業者歩行通路５の長さ方向に隣接して立設されているほかの支柱１との関係において、同じ又は略同じ大きさの離間距離の位置に達していることが要求され、このような要求に応えて取付具２０を支柱１Ａに配置した場合には、図１５に示されているように、支柱１Ａと、保持部材２２のベース部３０に挿通されたボルト３５の軸部３５Ａとの間の間隔はＸ寸法となり、これに対して取付具２０を支柱１Ｂに配置した場合には、図１６に示されているように、支柱１Ｂと、保持部材２２のベース部３０に挿通されたボルト３５の軸部３５Ａとの間の間隔はＹ寸法となり、これらのＸ寸法とＹ寸法は異なっている。
【００５９】
このため、本実施形態では、前述したように左右２個の保持部材２２を水平方向に回動可能とするための軸部材となっているボルト３５の軸部３５Ａを、取付具本体２１の上側部材２３と下側部材２４に形成されている長孔２８に挿入し、これにより、この軸部３５Ａと保持部材２２を、取付具本体２１に対する前後方向であって、支柱１Ａ，１Ｂ側への接近、離間方向である水平方向に移動可能としている。
【００６０】
これにより、図１５に示されているように、取付具２０を支柱１Ａに配置した場合には、支柱１Ａと、保持部材２２のベース部３０に挿通されたボルト３５の軸部３５Ａとの間の間隔をＸ寸法とすることができ、なり、また、図１６に示されているように、取付具２０を支柱１Ｂに配置した場合には、支柱１Ｂと、保持部材２２のベース部３０に挿通されたボルト３５の軸部３５Ａとの間の間隔をＹ寸法とすることができ、これにより、上述の要求に応えることができる。
【００６１】
図１７は、支柱１Ａ，１Ｂ以外の支柱１に幅木１０を保持させるための構造を示している。図１に示されているように、支柱１Ａ，１Ｂ以外の支柱１に幅木１０を保持させるためにも、取付具２０を支柱１Ａ，１Ｂに不動状態で配置するための結合具１１が用いられており、この結合具１１に設けられている前述の係止部材１７により、幅木１０が保持されている。
【００６２】
すなわち、図１７に示されているように、幅木１０は、アルミ又はアルミ合金の押し出し成形や引き抜き成形で形成されており、この幅木１０は、作業布板３により形成されている作業者歩行通路５に向かって凹凸となっている凸部１０Ａと凹部１０Ｂが、鉛直方向に対して傾斜している傾斜部１０Ｃ，１０Ｄにより上下方向に連結されたものとなっており、これらの傾斜部１０Ｃ，１０Ｄのうち、下側に延びるにしたがい作業者歩行通路５側とは反対へ延びている傾斜部１０Ｃにおける作業者歩行通路５側の面１０Ｅに、支柱１Ａ，１Ｂ以外の支柱１に結合された結合具１１の係止部材１７の下端に設けられている前述の係止部１７Ａが当接、係止され、これにより、幅木１０は、支柱１Ａ，１Ｂ以外の支柱１と、結合具１１の係止部材１７との間において、係止部１７Ａにより保持される。この状態は、図１にも示されている。
【００６３】
すなわち、本実施形態では、図１３で示されていて、取付具本体２１の係止凹部２９に挿入、係止される結合具１１の係止部材１７の係止部１７Ａを、幅木１０の傾斜部１０Ｃの傾斜角度と同じ又は略同じ角度をもって斜め下向きに延びるものとしており、このため、この係止部１７Ａにより、幅木１０を保持できるようにしている。
【００６４】
したがって、本実施形態によると、支柱１Ａ，１Ｂに取付具２０を不動状態で配置するために用いられる結合具１１を複数個用意し、この結合具１１を支柱１Ａ，１Ｂ以外の支柱１に結合することにより、支柱１Ａ，１Ｂ以外の支柱１に幅木１０の長さ方向の途中部等を結合具１１の係止部１７により保持できるようになる。
【００６５】
なお、図１では示されていないが、複数個の幅木１０が、これらの幅木１０の長さ方向の端部同士が重ねられることにより、１個の幅木１０の長さ方向に延長して並べられ、これにより、作業者歩行通路５の全長に渡って幅木１０が配設されるようになっている。
【産業上の利用可能性】
【００６６】
本発明は、例えば、建築や土木等の作業現場で構築され、作業布板により形成される作業者歩行通路の曲がり箇所のコーナー部に支柱が配置される仮設足場であって、幅木が用いられて構築される仮設足場に利用することができる。
【符号の説明】
【００６７】
１  支柱
１Ａ  支柱のうち、作業者歩行通路の曲がり箇所の内コーナー部に立設されている支柱
１Ｂ  支柱のうち、作業者歩行通路の曲がり箇所の外コーナー部に立設されている支柱
３  作業布板
５  作業者歩行通路
５Ａ  曲がり箇所
１０  幅木
１１  結合具
１７  係止部材
２０  取付具
２１  取付具本体
２２  保持部材
２３  被係止部材である上側部材
２４  被係止部材である下側部材
３１  保持部
３５  軸部が軸部材となっているボルト
３７  溝部
【図１】
0006525690.tif 000002
【図２】
0006525690.tif 000003
【図３】
0006525690.tif 000004
【図４】
0006525690.tif 000005
【図５】
0006525690.tif 000006
【図６】
0006525690.tif 000007
【図７】
0006525690.tif 000008
【図８】
0006525690.tif 000009
【図９】
0006525690.tif 000010
【図１０】
0006525690.tif 000011
【図１１】
0006525690.tif 000012
【図１２】
0006525690.tif 000013
【図１３】
0006525690.tif 000014
【図１４】
0006525690.tif 000015
【図１５】
0006525690.tif 000016
【図１６】
0006525690.tif 000017
【図１７】
0006525690.tif 000018